(57)【要約】【課題】水滴の自重の大きさにかかわらず雨水によってマイク穴が塞がることを防止させ、マイクの受話音量を十分に確保して良好な通話を行う。【解決手段】マイク穴３１の内側壁３１ａを食い切り構造で成形するとともに、カメラカバー３０の外周壁をマイク穴の内側壁として用いるように形成することにより、マイク穴における内側壁と外側壁３１ｂとの雨水の表面張力のバランスが崩されることから、雨水がマイク穴に溜まるはことなく、マイク穴の下部に設けられた水抜溝４０から下方に流れやすくなる。また、超音波溶着により接着され貼り合わされたケース１０と段３０ａを有するカメラカバーとの間で狭い水抜空隙５１を形成し、この貼り合わせにより溝５０を形成することにより、形成された溝には、接着時に発生するケースの溶けた樹脂が入り込むことから、狭い水抜空隙を形成する段を埋めるのを防止できる。【選択図】　図２
2004129113.tif 000002
【特許請求の範囲】
【請求項１】
来訪者の操作により呼び出しをかけるための呼出ボタン（２０）、前記来訪者を撮像するためのカメラ（２１）、通話を行うためのマイク（２２）およびスピーカ（２３）を収納するケース（１０）からなり、
前記ケースに、前記カメラを被蓋するためのカメラカバー（３０）と、前記マイクへ空間的に繋がるマイク穴（３１）とを備え、
前記マイク穴の下部に、前記マイク穴から入る雨水を下方に流すための水抜溝（４０）を前記カメラカバーに隣接して配置したことを特徴とするドアホン子機の水抜き構造。
【請求項２】
前記マイク穴は、前記ケースと前記カメラカバーとの貼り合わせによってできる狭い水抜空隙（５１）での前記雨水の毛細管現象により前記マイク穴から前記雨水を抜くように前記カメラカバーの外側壁を前記マイク穴の内側壁（３１ａ）として用いて形成したものであることを特徴とする請求項１記載のドアホン子機の水抜き構造。
【請求項３】
前記カメラカバーの外周部に、前記ケースとの間で前記狭い水抜空隙を形成するための段（３０ａ）を設けることを特徴とする請求項１または請求項２記載のドアホン子機の水抜き構造。
【請求項４】
前記マイク穴における前記内側壁と外側壁（３１ｂ）との前記雨水の表面張力のバランスを崩して、前記雨水が前記マイク穴に溜まることがなく下方に流れやすくなるように前記ケースと前記カメラカバーとを貼り合わせて前記狭い水抜空隙を設けるとともに前記マイク穴の前記内側壁を食い切り構造により成形したことを特徴とする請求項２または請求項３記載のドアホン子機の水抜き構造。
【請求項５】
前記ケースと前記カメラカバーとの貼り合わせを超音波溶着にて接着する際に発生する前記ケースの溶けた樹脂が前記狭い水抜空隙を形成する前記段を埋めるのを防止するように前記ケースに溶けた樹脂が入り込む溝（５０）を設けたことを特徴とする請求項２乃至請求項４何れか１項記載のドアホン子機の水抜き構造。
【発明の詳細な説明】
【０００１】
【発明の属する技術分野】
本発明はドアホン子機の水抜き構造に係り、特に、通話を行うために使用されるマイク周辺の防水に配慮したドアホン子機の水抜き構造に関する。
【０００２】
【従来の技術】
従来から、この種のドアホン子機の水抜き構造として、マイク穴の下部にマイク穴から雨水を下方に流すための水抜溝を設けるとともに、マイク穴の側壁から雨水に表面張力が働いてマイク穴に水滴が入るのを防止するためのリブをマイク穴に突設させたインターホン子機ケースの水抜き構造（以下、従来例の水抜き構造という。）が提案されている。
【０００３】
従来例の水抜き構造によれば、マイク穴には雨水が溜まらず水抜溝から下方に流れることにより、雨水の表面張力によってマイク穴を塞ぐことはなく、ゆえに、マイクの受話音量が小さくなることを防止できる（例えば、特許文献１）。
【０００４】
【特許文献１】特開２００１−１７７６１６公報（第２−３頁）
【発明が解決しようとする課題】
しかしながら、従来例の水抜き構造では、マイク穴の下部に設けられた水抜溝の表面張力を上回るほどの自重を有する水滴からなる雨水には多大な効果がある。一方、マイク穴が（丁度）埋まるぐらいの小さな水滴からなる雨水や空気の入った水滴からなる雨水等の自重が小さい水滴からなる雨水に対しての効果は低く、これらの雨水が水抜溝を塞くことになりマイクの受話音量が小さくなることから、呼び出しがあった来訪者からの音声が非常に小さく聴き取り難くなり良好な通話を行うことができない難点があった。
【０００５】
本発明は、上述の難点を解消するためになされたもので、水滴の自重の大きさにかかわらず雨水によってマイク穴が塞がることを防止させ、マイクの受話音量を十分に確保して良好な通話を行うことができるドアホン子機の水抜き構造を提供することを目的としている。
【０００６】
【課題を解決するための手段】
上述の目的を達成するため、本発明のドアホン子機の水抜き構造は、来訪者の操作により呼び出しをかけるための呼出ボタン、来訪者を撮像するためのカメラ、通話を行うためのマイクおよびスピーカを収納するケースからなり、ケースに、カメラを被蓋するためのカメラカバーと、マイクへ空間的に繋がるマイク穴とを備えている。マイク穴の下部に、マイク穴から入る雨水を下方に流すための水抜溝をカメラカバーに隣接して配置したものである。
【０００７】
このようなドアホン子機の水抜き構造によれば、呼出ボタン、カメラ、マイクおよびスピーカが収納されるケースには、マイクへ空間的に繋がるマイク穴が穿設されており、さらに、マイク穴の下部には、カメラを被蓋するためのカメラカバーに隣接して水抜溝が配置されていることにより、マイク穴から入る雨水を水抜溝から下方に流すことができる。
【０００８】
また、本発明のドアホン子機の水抜き構造において、マイク穴は、ケースとカメラカバーとの貼り合わせによってできる狭い水抜空隙での雨水の毛細管現象によりマイク穴から雨水を抜くようにカメラカバーの外側壁をマイク穴の内側壁として用いて形成したものである。
【０００９】
このようなドアホン子機の水抜き構造によれば、カメラカバーの外側壁をマイク穴の内側壁として用いて形成することにより、ケースとカメラカバーとの貼り合わせによりできる狭い水抜空隙にて発生する毛細管現象によってマイク穴から雨水を抜くことができる。
【００１０】
また、本発明のドアホン子機の水抜き構造は、カメラカバーの外周部に、ケースとの間で狭い水抜空隙を形成するための段を設けるものである。
【００１１】
このようなドアホン子機の水抜き構造によれば、カメラカバーの外周部に段を設けることにより、貼り合わされたケースとカメラカバーとの間で狭い水抜空隙が形成され、この狭い水抜空隙にて発生する毛細管現象によってマイク穴から雨水を抜くことができる。
【００１２】
また、本発明のドアホン子機の水抜き構造は、マイク穴における内側壁と外側壁との雨水の表面張力のバランスを崩して、雨水がマイク穴に溜まることがなく下方に流れやすくなるようにケースとカメラカバーとを貼り合わせて狭い水抜空隙を設けるとともにマイク穴の内側壁を食い切り構造により成形したものである。
【００１３】
このようなドアホン子機の水抜き構造によれば、貼り合わされたケースとカメラカバーとの間で狭い水抜空隙が形成されるとともに、マイク穴の内側壁を食い切り構造で成形することにより、マイク穴における内側壁と外側壁との雨水の表面張力のバランスが崩される。ゆえに、雨水がマイク穴に溜まることはなく、水抜溝から下方に流れやすくなる。
【００１４】
また、本発明のドアホン子機の水抜き構造は、ケースとカメラカバーとの貼り合わせを超音波溶着にて接着する際に発生するケースの溶けた樹脂が狭い水抜空隙を形成する段を埋めるのを防止するようにケースに溶けた樹脂が入り込む溝を設けたものである。
【００１５】
このようなドアホン子機の水抜き構造によれば、超音波溶着により接着され貼り合わされたケースとカメラカバーとの間に溝を設けることにより、接着時に発生するケースの溶けた樹脂が狭い水抜空隙を形成する段を埋めるのを防止できる。
【００１６】
【発明の実施の形態】
以下、本発明のドアホン子機の水抜き構造を適用した好ましい形態の実施例について、図面を参照して説明する。
【００１７】
図１は、本発明の実施例による水抜き構造を有するドアホン子機１を示す斜視図である。
【００１８】
図１の斜視図に示すドアホン子機１は、通常、玄関先に設置されている。このドアホン子機１のケース１０の筐体内には、来訪者が住戸内の居住者に対して呼び出しをかけるために操作する呼出ボタン２０と、呼出操作を行った来訪者を含む玄関先近傍の映像を撮像するためのカメラ２１と、来訪者が呼出相手先の居住者との間で通話を行うためのマイク２２およびスピーカ２３とが収納されている。
【００１９】
図１の斜視図に示すドアホン子機１において、ケース１０の筐体面には、撮像面が露出されたカメラ２１を被蓋するためのカメラカバー、ここでは、円形状のカメラカバー３０が超音波溶着により接着され貼り合わされているとともに、マイク２２へ空間的に繋がるマイク穴３１、スピーカ２３へ空間的に繋がるスピーカ穴３２がそれぞれ穿設されている。また、ドアホン子機１が設置状態において、マイク穴３１の下部には、マイク穴３１から入る雨水を下方に流すための水抜溝４０がカメラカバー３０に隣接するように配置されている。
【００２０】
図２（ａ）は、本発明の実施例によるドアホン子機の水抜き構造を示すドアホン子機１の部分拡大図であり、図２（ｂ）は、ドアホン子機１をＡ−Ａ面で切断した場合の断面説明図である。
【００２１】
図２（ｂ）の断面説明図に示すように、超音波溶着による接着で貼り合わされるケース１０とカメラカバー３０との間には、接着時に発生するケース１０の溶けた樹脂を入り込ませるための溝５０が設けられている。
【００２２】
また、図２（ｂ）の断面説明図に示すように、カメラカバー３０の外周壁は、ケース１０とカメラカバー３０の外周部（の一部）に設けられた段３０ａとの貼り合わせにより形成される狭い水抜空隙５１にて発生する雨水の毛細管現象に起因して、マイク穴３１から図１の斜視図および図２（ａ）の部分拡大図に示す水抜溝４０を介して雨水を抜くためのマイク穴３１の内側壁として用いられる。
【００２３】
さらに、図２（ｂ）の断面説明図に示すように、マイク穴３１は、内壁面を食い切り構造で成形、すなわち、食い切り構造における一方のケース１０ａの突起部と他方のケース１０ｂの突起部とに切り分け、中間部で角度が合わされるように成形されている。
【００２４】
このような構造の本発明の実施例によるドアホン子機の水抜き構造において、以下、具体的な作用について説明する。
【００２５】
図１の斜視図に示すドアホン子機１のケース１０の筐体内に収納されているマイク２２へ空間的に繋がるように、ケース１０の筐体面に穿設されたマイク穴３１は外部に対して開放状態であるため、例えば、雨天時における雨水の粒（雨粒）がマイク穴３１から筐体内に入ると、図２（ｂ）の断面図に示すように、マイク穴３１における内側壁３１ａ、外側壁３１ｂで受ける表面張力Ｘにより、マイク穴３１には水滴２が溜まり始める。
【００２６】
図２（ｂ）の断面説明図に示すように、食い切り構造における一方のケース１０ａに対して超音波溶着にてカメラカバー３０を接着させ貼り合わせるにあたり溶け出した一方のケース１０ａの樹脂は溝５０に溜まることから、カメラカバー３０の外周面（の一部）に設けられた段３０ａの形状は保持される。ゆえに、狭い水抜空隙５１が溶け出した樹脂により塞がることはなく、この狭い水抜空隙５１にて雨水の毛細管現象が発生することから、マイク穴３１における内側壁３１ａ、外側壁３１ｂで受ける表面張力Ｘのバランスが崩され、水滴２が大きくなってマイク穴３１を塞ぐ前に当該水滴の自重により雨水がマイク穴３１に溜まることはなく、マイク穴３１の下方に設けられた水抜溝４０へと雨水が流れやすくなる。
【００２７】
ここで、マイク穴３１は、図２（ｂ）の断面説明図に示すように、内側壁を食い切り構造で成形していることにより、マイク穴３１における内側壁３１ａ、外側壁３１ｂで受ける表面張力Ｘのうち、水抜溝外周壁として用いられるカメラケース３０の外周壁および食い切り構造における他方のケース１０ｂで受ける表面張力と食い切り構造における一方のケース１０ａおよび他方のケース１０ｂで受ける表面張力のように、マイク穴３１における内側壁３１ａが異なる壁面であり表面張力Ｘのバランスが崩れることから、水滴２が大きくなってマイク穴３１を塞ぐ前に当該水滴の自重により雨水がマイク穴３１に溜まることはなく、マイク穴３１の下方に設けられた水抜溝４０へと雨水が流れやすくなる。
【００２８】
上述のように、水滴２の自重の大きさにかかわらず雨水によりマイク穴３１が塞がることは防止され、マイク２２の受話音量を十分に確保して良好な通話を行うことができる。
【００２９】
なお、図１の斜視図に示すカメラカバー３０は円形状で形成されることにより、片側へ寄せたカメラカバー３０、例えば、右方向へ寄せたカメラカバー３０をを超音波溶着にてケース１０に接着して貼り合わせた場合でも、当該貼り合わせは点接触であり、図２（ｂ）の断面説明図に示す（縦方向の）狭い水抜空隙５１が点接触された部分以外は塞がることはなく、塞がった部分以外の狭い水抜空隙５１にて雨水の毛細管現象が発生することから、マイク穴３１における内側壁３１ａ、外側壁３１ｂで受ける表面張力Ｘのバランスが崩され、水滴２が大きくなってマイク穴３１を塞ぐ前に当該水滴の自重により雨水がマイク穴３１に溜まることはなく、マイク穴３１の下方に設けられた水抜溝４０へと雨水が流れやすくなる。
【００３０】
【発明の効果】
以上の説明から明らかなように、本発明のドアホン子機の水抜き構造によれば、マイク穴の内側壁が食い切り構造で成形されるとともに、カメラカバーの外周壁がマイク穴の内側壁として用いるように形成されることにより、マイク穴における内側壁と外側壁との雨水の表面張力のバランスが崩される。ゆえに、雨水がマイク穴に溜まることはなく、マイク穴の下部に設けられた水抜溝から下方に流れやすくなることから、水滴の自重の大きさにかかわらず雨水によってマイク穴が塞がることは防止され、マイクの受話音量を十分に確保して良好な通話を行うことができる。
【００３１】
また、超音波溶着により接着され貼り合わされたケースと段を有するカメラカバーとの間で狭い水抜空隙が形成されるとともに、この貼り合わせにより溝が形成され、形成された溝には、接着時に発生するケースの溶けた樹脂が入り込むことにより、狭い水抜空隙を形成する段を埋めるのを防止できる。
【００３２】
さらに、狭い水抜空隙にて雨水の毛細管現象が発生することにより、マイク穴における内側壁と外側壁との雨水の表面張力のバランスが崩される。ゆえに、雨水がマイク穴に溜まることはなく、マイク穴の下部に設けられた水抜溝から下方に流れやすくなることから、水滴の自重の大きさにかかわらず雨水によってマイク穴が塞がることは防止され、マイクの受話音量を十分に確保して良好な通話を行うことができる。
【図面の簡単な説明】
【図１】図１は、本発明の実施例による水抜き構造を有するドアホン子機を示す斜視図である。
【図２】図２（ａ）は、本発明の実施例によるドアホン子機の水抜き構造を示す部分拡大である。図２（ｂ）は、ドアホン子機をＡ−Ａ面で切断した場合の断面説明図である。
【符号の説明】
１０・・・・・ケース
２０・・・・・呼出ボタン
２１・・・・・カメラ
２２・・・・・マイク
２３・・・・・スピーカ
３０・・・・・カメラカバー
３０ａ・・・・・段
３１・・・・・マイク穴
３１ａ・・・・・マイク穴における内側壁
３１ｂ・・・・・マイク穴における外側壁
４０・・・・・水抜溝
５０・・・・・溝
５１・・・・・狭い水抜空隙
【図１】
2004129113.tif 000003
【図２】
2004129113.tif 000004